(57)【特許請求の範囲】
【請求項１】
内側管部分（１；１’）と外側管部分（２）とを有し、この２つの管部分が梁腹部によって互いに結合されており、前記外側管部分（２）の周辺壁（８，１０，１２，１４）が少なくとも２つの隣接する長い窪み（３２，３３，３４，３５，３６，３７，３８）を有する構造棒であって、
各梁腹部（１５〜２２）の２つの側面には、平坦支持部材（１１５）を固定するための貫通孔（４１，４２，４３）が設けられており、これらの貫通孔は、この構造棒の断面を見たとき、それぞれが前記内側管部分（１，１’）の隣接する外側面に平行に配置されていることを特徴とする構造棒。
【請求項２】
請求項１に記載の構造棒において、各梁腹部（１５〜２２）の両側面には、１つの長い溝（４０１；４０２）が設けられ、この溝は前記長い窪み（３６，３３，３８，３４，３７，３５，３９，３２）の一つを介して外部に通じており、これらの溝（４０１；４０２）はガイド溝として設計されており、これらの溝は同じ溝幅を有しており、これによって、これらの溝（４０１，４０２）は２つの平行面において一対になっている側壁を有していることを特徴とする構造棒。
【請求項３】
請求項１又は２に記載の構造棒において、前記内側管部分（１；１’）は、４つの面壁（３，４，５，６）を有する正方形の断面を有し、前記外側管部分（２）は、８つの面壁（７〜１４）を有する八角形の断面を有し、これら２つの管部分（１，１’；２）は、８つの長い梁腹部（１５〜２２）によって結合されており、この梁腹部は前記内側管部分（１，１’）の面壁の角領域から外側に向かって、各々がこの面壁と直交するように、対になって（１６，１７；１８，１９等）延在しており、各梁腹部（１５〜２２）は前記八角形の管部分の隣接する２つの面壁の接合部に結合されており、前記外側管部分（２）の４つの面壁（７，９，１１，１３）は前記内側管部分（１，１’）の４つの面壁（３，４，５，６）と平行で、各々が中央部に長い窪み（３２，３３，３４，３５）を有し、前記外側管部分（２）の２つの面壁（８，１２）は、前記内側管部分（１；１’）の断面における一の対角線に平行であり、各々が中央部に長い窪み（３６，３７）を有し、前記外側管部分（２）の他の２つの面壁（１０，１４）は、前記内側管部分（１；１’）の断面における他の対角線に平行であり、各々が中央部に長い窪み（３８，３９）を有していることを特徴とする構造棒。
【請求項４】
請求項１乃至３のいずれかに記載の構造棒において、前記梁腹部（１５〜２２）の貫通孔（４１，４２，４３，等）は、梁腹部壁（４４，４５，４６，４７等）によって一定間隔で分離されて配置されていることを特徴とする構造棒。
【請求項５】
請求項１乃至４のいずれかに記載の構造棒において、対角線に対して平行に延在する前記面壁（８，１０，１２，１４）の長い窪み（３６，３７，３８，３９）の幅は、前記内側管部分（１；１’）の一の側壁（３，５）に平行であるか他の側壁（４，６）に平行であるかを問わず、これらの長い窪みの一つに平板又は平坦部材を導入できるようなサイズであることを特徴とする構造棒。
【請求項６】
請求項１乃至５のいずれかに記載の構造棒とともに用いるための固定部材であって、前記固定部材は少なくともＵ字状部材（６１）と補助部材（６２）とからなり、前記Ｕ字状部材は、細長い基礎部（６３；６８）に結合された２つの細長い壁（６６，６７）を有し、その少なくとも１つは終端部（７４）を有し、前記Ｕ字状部材は、外側に延びた湾曲部（７５）の形状をしており、前記壁（６６）の内側に向かう鋭い先端部（７６）を有することを特徴とする固定部材。
【請求項７】
請求項６に記載の固定部材において、これらの壁（６６）のうち少なくとも１つは、基礎部（６８；６３）に平行で、かつ、前記壁（６６）の終端部（７４）と基礎部（６８）との間の領域に配置された外側縦長補助梁（７３）を有しており、前記湾曲部（７５）の他方の端部端と前記縦長補助梁（７３）とは細長いガイド溝（７７）を形成していることを特徴とする固定部材。
【請求項８】
請求項６又は７に記載の固定部材において、前記２つの壁（６６、６７）は、それぞれ補助梁（７３，７３’）と湾曲部（７５，７５’）とを有し、前記２つの壁（６６，６７）の間に配置される対称面に対して対称に配置されていることを特徴とする固定部材。
【請求項９】
請求項６乃至８のいずれかに記載の固定部材において、前記補助部材は、好ましくは少なくとも１つの横方向に角度が付けられた縦長の端部（６４，６５）を有する細片状の壁（６３）を有する平坦部材であること及び／又は前記補助部材は、平板を支持する縦長の端部を少なくとも１つ有することを特徴とする固定部材。
【請求項１０】
請求項６乃至９のいずれかに記載の固定部材において、前記Ｕ字状部材の第１の角領域（６９）は、細長い補助梁（７０）によって前記補助部材（６２）に結合されており、前記Ｕ字状部材の第２の角領域（６９’）は、細長い補助梁（７１）によって前記補助部材（６２）に結合されており、これらの補助梁（７０，７１）は前記細長い壁（６６，６７）に対して角度を形成していることを特徴とする固定部材。
【発明の詳細な説明】
（技術分野）
本発明は、請求項１のプリアンブル部分に記載されたとおりの内側環状部分と外側環状部分とを有し、この両方の環状部分が梁腹部によって結合されている構造梁の構造梁およびこの構造梁用の固定部材に関する。
（従来技術）
オーストリア特許公報（AT-324 654 B)は、このような構造棒を開示している。この特許公報によれば、内側環部分と外側環部分とが梁腹部によって結合されている。この外側環部分の周辺壁はそれぞれが隣接する８つの細長い窪みを有している。このことは、各々の細長い窪みを通して構成部品を挿入することが可能であることを意味している。
また、米国特許公報（4,689,930）は構造棒を開示している。この特許公報によれば、特定の使用されていない部分（これは各々の場合細長い窪みに対応しているが）が固定部材によって美的に好ましい方法で覆われている。しかしながら、このシステムの柔軟性はこの構造棒の非対称性によって制限されている。
また、スイス国特許公報（CH-415 999）は、構造棒を開示している。開示された構造棒は、中央環及び４つの同一の矢からなっており、この４つの矢はそれぞれが半径方向に９０度づつずれて中央環上に配置され、その先端部がこの中央環から外側に向かっている。この構造棒はそれぞれが２つの先端部に挟まれた４つの細長い窪みを有している。
（解決しようとする課題）
本発明の目的は、このような構造棒を改良することである。
（課題を解決するための手段）
すなわち、この目的は、本発明の請求項１の特徴部分である内側環状部分（１；１’）と外側環状部分（２）とを有し、この両方の環状部分が梁腹部によって結合されている構造部であって、外側環状部分（２）の周辺壁（８，１０，１２，１４）は、少なくとも２つの隣接する長い窪み（３６，３３，３８，３４，３７，３５，３９，３２）を有し、両方の部分の間にあるすべての梁腹部（１５〜２２）には、平坦支持部材（１１５）を取り付けるための貫通孔（４１，４２，４３）が設けられており、この貫通孔はそれぞれが内側環状部分（１，１’）の隣接面に平行に配置されていることを特徴とする構造棒によって達成される。
さらに、この目的は、請求項６の特徴部分である、長い窪みを有し、結合要素又は固定要素の助けを借りて空間構造を構成する構造棒用固定部材であって、固定部材は少なくともＵ字状部材（６１）と補助部材（６２）とからなり、Ｕ字状部材は、細長い基礎板（６３；６８）に結合された２つの細長い壁（６６，６７）を有し、その少なくとも１つの壁（６６）は終端部（７４）を有し、Ｕ字状部材は、外側に延びた楔（７５）の形状をしており、前記壁（６６）の内側に向かって鋭い先端（７６）を有することを特徴とする構造棒用固定部材によって達成される。
本発明のよれば、種々の用途に用いられる支持梁システムを提供することができる。また、この支持梁システムによれば、シンプル（容易）に壁材を横に取り付けることができる。
さらに利益（効果）のある本発明の実施例は従属請求項に記載されている。
【図面の簡単な説明】
本発明の代表的な実施例は以下の図面に与えられている。
図１は本発明の第１の実施例に係る構造棒の斜視図である。
図２はこの構造棒の断面図（内部の補助梁は省略されている）である。
図３は本発明の第２の実施例に係る構造棒の斜視図である。
図４はこのような構造棒の１つに分離可能に固定できる支持部材の斜視図である。
図５は本発明の第３の実施例に係る構造棒の側面図である。
図６はこの構造棒の断面図である。
図７は本発明に係る図１、３又は５の構造棒用固定部材の断面図である。
図８は図５の構造棒に分離可能に固定された固定部材の概要図である。
図９〜図１１は本発明に係る固定部材及び構造梁の応用例である。
図１２は別の実施例に係る構造梁の断面図の例である。
図１３は本発明のさらなる別の実施例に係る固定部材の斜視図である。
図１４及び図１５は本発明のさらなる別の変形例に係る固定部材の断面図である。
（実施例１）
図１及び図２の構造棒はそれぞれ、断面が正方形（場合によっては多角形又は円の場合もあり得る）の内側環状部分１又は１’と、断面が八角形（場合によっては多角形又は円の場合もあり得る）の外側環状部分２と、から構成されている。この内側環状部分１又は１’（図２）は、４つの比較的薄い面壁３，４，５及び６を有している。外側環状部分２は、８つの比較的薄い面壁７〜１４を有している。環状部分１（又は１’）と２とは、８つの細長い梁腹部（又は補助梁）１５〜２２によって結合されている。この梁腹部は内側環状部分１の面壁の角領域から外側に向かって、各々がこの面壁と直交するように、対になって延びている。各々の梁腹部１５〜２２は、上記八角形の外側環状部分の隣接する２つの壁の接合部に結合されている。上記環状部分１，１’及び２の面壁並びに梁腹部１５〜２２の厚さは上記梁の高さ又は幅に比べて比較的薄いため、２つの環状部分１，１’及び２の間に９つの中空空間が生まれる。最も大きな中空空間２３は、内側環状部分１，１’の内側に位置している。中程度の大きさを有する４つの中空空間２４，２５，２６，２７は、「両方の環状部分１，１’及び２」と「梁腹部１６及び１７、１８及び１９、２０及び２１、又は２２及び１５」との間に位置している。４つの小さな中空空間２８，２９，３０及び３１は、「内側環状部分１，１’の角」「外側環状部分２の壁」及び「梁腹部１５及び１６、１７及び１８、１９及び２０、又は２１及び２２」の間に位置している。
したがって、外側環状部分２の４つの面壁７，９，１１及び１３は、それぞれが内側環状部分１，１’の４つの面壁３，４，５，６と平行であり、それらの中央部には長い窪み３２，３３，３４及び３５が設けられており、この長い窪みはそれぞれが中間サイズの中空空間２７，２４，２５及び２６の外部世界への開口部となっている。
外側環状部分２の２つの面壁８及び１２は、内側環状部分１，１’の断面における一の対角線に平行であり、それらの中央部には長い窪み３６，３７が設けられており、この長い窪みは２つの小さな中空空間２８，３０の外部世界への開口部となっている。外側環状部分２の他の２つの面壁１０及び１４は、内側環状部分１，１’の断面における他の対角線に平行であり、それらの中央部には長い窪み３８，３９が設けられており、この長い窪みは２つの小さな中空空間２９，３１の外部世界への開口部となっている。４つの小さな中空空間２８，２９，３０及び３１は比較的小さいため、外側環状部分２の面壁８，１０，１２及び１４は長い窪み３６，３８，３７及び３９の領域中にある比較的短い細長い補助梁４０，４１’等によって部分的に形成されている。この梁腹部は両側面にガイド溝、例えば同じ幅を有する４０１，４０２、をそれぞれ有している。
梁腹部１５〜２２（図１）は、溝４０１，４０２の底部分に貫通孔４１，４２，４３等が設けられており、この貫通孔は、好ましくは梁腹部壁４４，４５，４６又は４７の間に規則正しい間隔で配置されている。上記した小さな中空空間に通じている長い窪み３６，３７，３８及び３９の幅は、これらの長い窪みの一つに、平板又は平坦部材を、内側環状部分における一の面壁又は他の面壁に平行に、導入できるような大きさである。溝４０１の外側側壁の外側端部又は外側補助梁４０は、例えば、内側環状部分１，１’における面壁３の外側表面の同じ平面にあってもよいし、２つの隣接する平行の補助梁、例えば１６、１７、の２つの溝４０２，４０２’の外側側壁の外側端４０及び４０’の間の間隔は、内側環状部分１，１’の幅、すなわち対向する面壁３，５の外側表面間の間隔より小さくてもよい。
図１の実施例によれば、内側環状部分１は、８つの内側ガイド補助梁４８，４９等を有している。この内側ガイド補助梁４８，４９等は、円い断面を有する管をガイド（案内）することができるように、その最内面で円柱状のフロント面を有している。この内側ガイド補助梁は、内側環状部分１に沿って、好ましくは内側環状部分１の面壁内側の中間位置に対になって設けられている。
図３の実施例によれば、外側環状部分２’は、８つの溝又は凹部５０，５１を有しており、これらは肩又はガイドとして機能している。好ましくは、これらは、図３に示すように、９０度の角度を有している。
図４の平坦な支持部材は、それ自体知られているフック５２，５３を有している。このフックは、この支持部材を上記した構造棒に取り付けるために、開口部４１，４２，４３等の中に導入できるようになっている。
溝４０１，４０２等（図２）は、ガイド溝として設けられている。この溝は同じ溝幅を有しており、２つの平面中で対になっている左側及び右側の側壁を有している。
２つの隣接した平行な梁腹部１６，１７における２つの溝４０２，４０２’の外側側壁の離れた外側端部又は補助梁４０，４０’の間の間隔は、好ましくは、内側環状部分１，１’の対向する２つの面壁３，５の外側面の間の間隔よりも小さいことである。
（実施例２）
図５及び図６は、実施例２の構造棒を示している。図面中の同一の特徴については同一の記号を用いて表示されている。この構造棒は、同様に、断面がほぼ正方形の内側環状部分１と、断面が八角形の外側環状部分２と、からなっている。
図６によれば、梁腹部１５〜２２は、貫通孔４１，４２，４３等が設けられており、この貫通孔は、好ましくは梁腹部壁４４，４５，４６又は４７の間に規則正しい間隔で配置されている。上記した小さな中空空間に通じている長い窪み３６，３７，３８及び３９の幅は、これらの長い窪みの１つに、平板又は平坦支持部材（図１１）を、内側環状部分における一の面壁又は他の面壁に平行に、導入できるような大きさである。外側補助梁４０は、例えば、面壁３の外側表面の同じ平面にあってもよいし、外側端４０及び４０’の間の間隔は、内側環状部分１の幅、すなわち対向する面壁３，５の外側表面間の間隔より小さくてもよい。
（実施例３）
図７の固定部材は、逆Ｕ字状部材６１と平坦部材６２とからなっている。平坦部材は、細長い細片状壁６３に加えて、好ましくは横方向に角度がある細長い端部６４，６５を有する。Ｕ字状部材の足６６，６７は、２つの平行の細長い壁であって、２つの角領域６９，６９’が形成されるように細長い基礎板６８が設けられている。Ｕ字状部材の左側角領域６９は細長い梁腹部７０によって平坦部材６２に結合され、このＵ字状部材の右側角領域６９’は細長い梁腹部７１によって平坦部材６２に結合されている。Ｕ字状部材の壁６３、梁腹部７０及び７１並びに基礎板６８は、中空空間７２を含んでいる。２つの細長い壁６６，６７の内側面は、平板をガイドするための面となっている。
壁６６は外側縦長補助梁７３を有しており、これは基礎板６８に平行であり、壁６６の終端部７４と基礎板６８との間の領域に配置されている。この終端部７４は、外側に延びる楔７５の形状を有し、これは鋭く内側に向かった壁６６の先端部７６を形成しており、それによって楔７５の他方の端部と前記縦長補助梁７３とは細長いガイド溝７７を形成し、その幅は壁７，９，１１及び１３（図２又は６）の厚みに対応している。Ｕ字状部材の壁６７は、補助梁７３’と楔７５’とを有し、壁６６の対応部分に対して対称に配置されている。
（実施例４）
図８は固定部材６０を示している。この固定部材は構造棒の窪み３６の中に固定された留め金であり、それによって内側環状部分１の角のところで面壁３，４等が、好ましくは内側に向かって曲がっており、壁３の曲がった細片１０１が梁腹部１５の延長部分のように見え、壁４の曲がった細片１０２が梁腹部１６の延長部分のように見えている。
固定部材６０は硬質材料、例えば硬質のＰＶＣ樹脂からなるが、十分な弾性を有している。そのため、溝３６の領域で楔７５が構造棒の外端に接触したときに壁６３を加圧すると壁６６，６７の間の間隔が徐々に狭くなり、補助梁７３，７３’と楔７５，７５’の肩との間で留め金として固定された状態になるまでこの固定部材が窪み３６中に押される。この固定部材の端部６４，６５は、取り付けられた状態で、好ましくは壁８又は９に対して平行となるような形状を有している（図８）。
（実施例５）
図９に示す実施例では、３つの固定部材８１，８２，８３は梁に固定された留め金である。このため、第１の細片状平板８４が固定部材８１及び８２の間に保持され、第２の細片状平板８５が固定部材８２及び８３の間に保持されている。
窪み３３，３４のところで、平坦横棒８６及び８７はそれぞれ、固定部材によってそれ自体知られた方法で固定されている。図９に示されるように、追加板８８及び８９は平坦横棒８６，８７及び固定部材８１、８３の間に保持されることができる。
（実施例６）
図１０は、２つの平坦横棒９１，９２を示している。この平坦横棒の端領域には、図示されていない支持梁上に取り付けることができるようにするために、固定装置が固定されている。平坦横棒９１，９２は、少なくとも１つの長い窪み９３，９４が設けられ，その中には本発明の固定部材９５，９６が固定されている。好ましくは樹脂、ガラス又はその他の軽い材料からなる平板９７は、「固定部材９５の端部６４と平坦横棒９１との間の一方の面」及び「固定部材９６の端部６５と平坦横棒９２との間の他方の面」のところ挿入されている。それによって、固定部材９５、９６の近傍の平板９７の端部領域は上記した平坦横棒上にしっかり取り付けられる。
（実施例７）
図１１は、環状の内側環状部分が設けられ、８つの長い窪みを有している支持梁１１１を示している。上記した８つの窪みのうち３つはそれぞれ固定部材１１２、１１３、１１４によって覆われている。支持面のところでは、支持部材１１５と２つの平坦横棒１１６，１１７とが固定されており、別の固定部材用の窪みが設けられている。この固定部材の端部は平板を支持する機能を果たしている。支持面１１８がこの支持要素１１５に横から取り付けられている。支持要素１１５は平坦横棒１１６に平行に配置されているが、同様に、この平坦横棒に代わって又はこの平坦横棒に加えて、平坦横棒１１７に平行に取り付けることができ、この構造棒の多用途性を示している。
（実施例８）
図１２は、本発明に係る構造棒の種々の変形例の断面図を示す。内側環状部分は、その内側面壁のところで、例えば階段状のような厚み１１９，１１９’を有していても良い。
（実施例９）
図１３は、追加的な細長い基礎板又は底部６８（図７）及び中空空間７２を有せず、底部６８を補助部材６２の部分と見ることもできる固定部材を示す。これによって、ほぼＵ字状の断面を有する底部は、横から見れば外に向かって延ばされている。
（実施例１０）
図１４の固定部材の底部６８’は屈曲領域６９、６９’のところに結合されていないが、いくぶん低いところにある壁領域６６、６７に結合されている。
（実施例１１）
図１５の構造は、その断面が図１４の構造のそれに似ているが、底部６８’を有していない点に特徴がある。
なお、固定部材６２は梁の窪み１つを覆うような形状とすることもできる。
【図１】
0003764172.tif 000002
【図４】
0003764172.tif 000003
【図２】
0003764172.tif 000004
【図３】
0003764172.tif 000005
【図５】
0003764172.tif 000006
【図６】
0003764172.tif 000007
【図７】
0003764172.tif 000008
【図８】
0003764172.tif 000009
【図９】
0003764172.tif 000010
【図１０】
0003764172.tif 000011
【図１１】
0003764172.tif 000012
【図１２】
0003764172.tif 000013
【図１３】
0003764172.tif 000014
【図１４】
0003764172.tif 000015
【図１５】
0003764172.tif 000016